(57)【特許請求の範囲】
【請求項１】
住宅の外壁パネル（１０）の縦目地（１１）と横目地（１２）が交差する部分であるクロス部（１３）の二次シール構造であって、横目地材（１５）の背面側に設けられ、水切材（２０）の側面に水切材の端面をおおうよう閉塞壁（２７）を設けるとともに、閉塞壁（２７）の後端から後方へ連続して、水切材の最上部と略等しい高さの延長壁（２８）を突設して水切材（２０）を構成し、閉塞壁（２７）と延長壁（２８）の一体物である側壁（２６）に、縦目地材（１４）の背面側に設けられる止水材（３０）を延長して配置し、クロス部（１３）において隣接する水切材（２０）の側壁（２６）同士を止水材（３０）を介して密接させてなる外壁パネルクロス部の二次シール構造。
【請求項２】
住宅の外壁パネル（１０）の縦目地（１１）と横目地（１２）とが交差する部分であるクロス部（１３）の二次シール構造であって、
横目地材（１５）の背面側に設けられ、後壁（２２）、底壁（２３）、前壁（２４）および傾斜壁（２５）で構成される水切材基部（２１）の側面に、前記四つの壁（２２，２３，２４，２５）で形成される空間を閉塞する閉塞壁（２７）を設けると共に、閉塞壁（２７）の後端から後方へ連続して、後壁（２２）の高さと等しい高さの延長壁（２８）を突設して水切材（２０）を構成し、閉塞壁（２７）と延長壁（２８）の一体物である側壁（２６）に、縦目地材（１４）の背面側に設けられる止水材（３０）を延長して配置し、クロス部（１３）において隣接する水切材（２０）の側壁（２６）同士を止水材（３０）を介して密接させてなる外壁パネルクロス部の二次シール構造。
【発明の詳細な説明】
【０００１】
【発明の属する技術分野】
本発明は、住宅の外壁パネル間に形成される縦目地と横目地との交差部分であるクロス部の二次シール構造に関するものである。
【０００２】
【従来の技術】
プレハブ住宅等における複数の外壁パネル間には縦目地と横目地が形成されると共に、その縦目地と横目地とが交差する部分にいわゆるクロス部が形成される。
【０００３】
こうした住宅の外壁パネル１０においては、通常、外壁パネル１０の表面部分に、一次シール構造として、図１に示すように、断面形状が略矢羽根状の縦目地１４材を嵌入組付けし、横目地１２にも同じく断面略矢羽根状の横目地材１５を嵌入組付けしている。そして、さらに防水効果を高めるための二次シール構造として、縦目地１１の縦目地材１４の背面側にスポンジゴム製等の止水材３０を取付けると共に、横目地１２の横目地材１５の背面側には樹脂製または金属製の水切材４０等を取付けている。
【０００４】
しかし、縦目地１１と横目地１２部分に取付けられている止水材３０や水切材４０は、クロス部１３では途切れている。従って、クロス部１３における防水手段は、実質的に、通常その部分に嵌入組付けされている縦目地材１４（一次シール構造）のみによって行われているのが現状である。すなわち、クロス部１３においては、二次シール構造が全く採られておらず、その結果、クロス部１３における防水手段は不完全で、当該クロス部１３から雨水等の侵入があり得る。
【０００５】
【発明が解決しようとする課題】
解決しようとする課題は、従来の住宅外壁パネル１０におけるクロス部１３においては二次シール構造が採られておらず、防水手段が不完全であるため、雨水等が住宅内へ侵入する可能性があることである。
【０００６】
【課題を解決するための手段】
図面を参考にして説明する。第１の発明に係わる外壁パネルクロス部の二次シール構造は、住宅の外壁パネル１０の縦目地１１と横目地１２が交差する部分であるクロス部１３の二次シール構造であって、横目地材１５の背面側に設けられ、水切材２０の側面に水切材の端面をおおうよう閉塞壁２７を設けるとともに、閉塞壁２７の後端から後方へ連続して、水切材の最上部と略等しい高さの延長壁２８を突設して水切材２０を構成し、閉塞壁２７と延長壁２８の一体物である側壁２６に、縦目地材１４の背面側に設けられる止水材３０を延長して配置し、クロス部１３において隣接する水切材２０の側壁２６同士を止水材３０を介して密接させたものである。
【０００７】
第２の発明に係わる外壁パネルクロス部の二次シール構造は、住宅の外壁パネル１０の縦目地１１と横目地１２とが交差する部分であるクロス部１３の二次シール構造であって、横目地材１５の背面側に設けられ、後壁２２、底壁２３、前壁２４および傾斜壁２５で構成される水切材基部２１の側面に、前記四つの壁２２，２３，２４，２５で形成される空間を閉塞する閉塞壁２７を設けると共に、閉塞壁２７の後端から後方へ連続して、後壁２２の高さと等しい高さの延長壁２８を突設して水切材２０を構成し、閉塞壁２７と延長壁２８の一体物である側壁２６に、縦目地材１４の背面側に設けられる止水材３０を延長して配置し、クロス部１３において隣接する水切材２０の側壁２６同士を止水材３０を介して密接させてなる。
【０００８】
【発明の実施の形態】
本発明の実施形態について説明する。本実施形態に係る外壁パネルクロス部の二次シール構造は、住宅の外壁パネル１０の縦目地１１と横目地１２とが交差する部分であるクロス部１３をシールするものであり、一次シール構造を構成する縦目地材１４および横目地材１５の背面側に設けられる。
【０００９】
具体的には、一次シール構造である横目地材１５の背面側に配置される水切材２０の側壁２６に、同じく一次シール構造である縦目地材１４の背面側に設けられる止水材３０を配置するものである。この止水材３０は、スポンジゴム等の軟質弾性材製である。また、この止水材３０は、下位の外壁パネル１０間に設けられるものを上方に延長設し、側壁２６に配置している。
【００１０】
上記水切材２０は、水切材基部２１の側面に側壁２６を設けて構成される。水切材基部２１は、樹脂または金属製で、垂直方向へ立設された後壁２２の下端から前方に底壁２３を突設し、その底壁２３の前端から後壁２２と平行にかつ後壁２２より短い前壁２４を立設し、さらに、前壁２４の上端から後壁２２のほぼ中間高さにわたって傾斜壁２５を架設して形成している。
【００１１】
また、側壁２６は、水切材基部２１の側面に、前記四つの壁２２，２３，２４，２５で形成される空間を閉塞する閉塞壁２７を設けると共に、その閉塞壁２７の後端から後方へ連続して、後壁２２の高さと等しい高さの延長壁２８を突設して形成している。なお、この側壁２６は、その内面に二つの突部２９を有し、当該突部２９を水切材基部２１の側面に四つの壁２２、２３、２４、２５で形成された空間に密に嵌入することによって組付けることとしている。
【００１２】
上記構成とすることによって、外壁パネル１０の縦目地１１と横目地１２とが交差する部分であるクロス部１３において、水平方向に隣接する水切材２０同士が止水材３０を介して密接する。また、組付の関係上、上階の外壁パネルの内側のパネル１６と、下階の水切材２０はスキ設定としているが、図５・図７に示すように上階の２次止水材３０の位置よりも、下階の２次止材の位置を室内側に設定しているため、上階の２次止水材３０にて止められた水は、下階の２次止水材３０の手前にて受止められてシールすることができる。従って、このクロス部１３には、一次シール構造に加えて二次シール構造も形成されるので、一次シール構造を通過できた雨水等は、この二次シール構造によってそれ以上の侵入が阻止される。その結果、この二次シール構造によって、外壁パネル１０における防水効果が大きく高められる。
【００１３】
図８及び図９は側壁及び延長壁を別体とし水切材基部２１に糊等で接着するようにしたものである。
【００１４】
【発明の効果】
本発明は、外壁パネル１０のクロス部１３において、水切材２０の側壁２６に止水材３０を配置して、隣接する水切材２０同士を止水材３０を介して密接させたので、クロス部１３には一次シール構造に加えて二次シール構造か形成される。従って、クロス部１３における防水効果が向上し、雨水等の侵入を確実に阻止することができる。
【図面の簡単な説明】
【図１】外壁パネルの縦目地材および横目地材を示す正面図および断面図である。
【図２】従来例に係る水切材を示す斜視図である。
【図３】従来例に係る二次シール構造を示す斜視図である。
【図４】本発明の一実施形態に係る水切材を示す斜視図である。
【図５】本発明の一実施形態に係る二次シール構造を示す斜視図である。
【図６】図５に示す二次シール構造の正面図である。
【図７】図５に示す二次シール構造の側面図である。
【図８】第２の実施の形態を示すもので、（イ）は蓋型の側壁及び延長壁を水切材基部に糊等で固着する前の斜視図、（ロ）は固着後の斜視図である。
【図９】第３の実施の形態を示すもので、（イ）は蓋側の側壁及び延長壁を水切材基部に糊等で固着する前の斜視図、（ロ）は固着後の斜視図、（ハ）は糊等固着する前の側壁及び延長壁の背面図である。
【符号の説明】
１０    外壁パネル
１１    縦目地
１２    横目地
１３    クロス部
１４    縦目地材
１５    横目地材
２０    水切材
２１    水切材基部
２２    後壁
２３    底壁
２４    前壁
２５    傾斜壁
２６    側壁
２７    閉塞壁
２８    延長壁
２９    突部
３０    止水材
４０    水切材
【図１】
0003799540.tif 000002
【図２】
0003799540.tif 000003
【図３】
0003799540.tif 000004
【図４】
0003799540.tif 000005
【図５】
0003799540.tif 000006
【図６】
0003799540.tif 000007
【図７】
0003799540.tif 000008
【図８】
0003799540.tif 000009
【図９】
0003799540.tif 000010